(57)【要約】【課題】  プリントすべき所望の写真をユーザーが規定時間内で余裕をもって吟味し、取捨選択することのできる自動シール印刷発行機を提供する。【解決手段】  デジタルカメラ（３１，３２）で撮影され、メモリ（３７７）に記録された所定数Ｎ枚の人物写真データを順次ビデオモニタ（３３）に表示し、手書き画像入力手段（３３，３４）から入力される手書き画像と重畳、合成し、その合成画像をビデオモニタ（３３）に表示する画像合成手段（３７５ａ）と; メモリ（３７７）に記録された上記所定数Ｎ枚の合成画像データを読出し、ビデオモニタ（３３）に表示すると共に、ユーザーの操作に応じて表示された画像の中から所定数ｎ枚の範囲内で所望の画像の採用を決定する手段（３３，３４）と; 上記採否決定手段（３３，３４）により採用が決定された合成画像を所定のシール用紙にプリントしユーザーに交付し得るシールプリンタ（３５）と; を具備することを特徴とする。【選択図】  図２
2005205789.tif 000002
【特許請求の範囲】
【請求項１】
画像データを記録し得るメモリ（３７７）と、
被写体となるユーザーにより操作され、その人物自身の写真を所定数Ｎ枚撮影し、それらの人物写真データを順次メモリ（３７７）に記録し得るデジタルカメラ（３１，３２）と、
メモリ（３７７）に記録された人物写真を随時選択表示し得るビデオモニタ（３３）と、
手書き画像入力手段（３３，３４）と、
メモリ（３７７）に記録された所定数Ｎ枚の人物写真データを順次１枚分ずつ読出し、その人物写真をビデオモニタ（３３）に表示し、手書き画像入力手段（３３，３４）から入力される手書き画像と重畳、合成し、その合成画像データをメモリ（３７７）に記録すると共に、その合成画像をビデオモニタ（３３）に表示する画像合成手段（３７５ａ）と、
画像合成手段（３７５ａ）により作成され、メモリ（３７７）に記録された所定数Ｎ枚の合成画像データを読出し、ビデオモニタ（３３）に表示すると共に、ユーザーの操作に応じて表示された画像の中から所定数ｎ枚の範囲内で所望の画像の採用を決定する手段（３３，３４）と、
上記採否決定手段（３３，３４）により採用が決定された合成画像を所定のシール用紙にプリントしユーザーに交付し得るシールプリンタ（３５）と、
を具備することを特徴とする自動シール印刷発行機。
【請求項２】
人物写真の背景となる画像のデータを記録した背景画像データメモリ（３７７）と、
背景画像データメモリ（３７７）に記録された背景画像の中から所望の背景画像を選択する手段（３３，３４）と、
デジタルカメラ（３１，３２）で撮影された人物写真と、背景画像選択手段により選択された背景画像を合成する手段（３７５ａ）と、を具備し、
手書き画像と重畳、合成される人物写真として、背景画像と組み合わせられた合成画像が用いられることを特徴とする請求項１に記載の自動シール印刷発行機。
【発明の詳細な説明】
【技術分野】
【０００１】
本発明は、自動シール印刷発行機に関し、特に、撮影された画像に客が所望の文字や図形を記入（落書き）したものをシール用紙にプリントして客に提供し得る自動シール印刷発行機の改良に関する。
【背景技術】
【０００２】
ハウジング内に入った１人又は複数の客（ユーザー）を、ユーザーの好みのポーズで撮影し、その画像をユーザーの希望する背景画像や文字等と合成してシール用紙に複数駒プリントして発行する自動シール印刷発行機は、遊技場、デパート、イベント会場等に設置され、遊び感覚でスナップ写真を撮るという目的で広く楽しまれている。通常は、ポーズ等の異なる数種類の写真が同時に複数枚づつ並べてプリントアウトされるので、それらを仲間で分けあい、各人がストックブックに貼り付けて保存し、コレクションにすることも楽しみの一つとされている。
【０００３】
このような自動シール印刷発行機には、通常、タッチパネル式ビデオモニタとラクガキ用タッチペンとが備えられ、撮影した画像を当該ビデオモニタの画面に表示し、その上にユーザーがラクガキ用タッチペンを用いて所望の文字や図形（落書き）を記入し、この落書きを撮影画像に合成したものをシール用紙にプリントして提供し得るようになっている。
そのような自動シール印刷発行機の一例は、例えば下記特許文献１に開示されている。
【０００４】
【特許文献１】特願２００３−１７４４０５
【０００５】
この種の自動シール印刷発行機では、実際に撮影する写真のショット数は、シール用紙にプリントアウトする写真のショット数（ポーズ等の種類の異なる枚数。本願において単に「枚数」という。）よりも多くの枚数を撮影し、その中からユーザーの選択した所定枚数だけをプリントアウトしてユーザーに渡すようになっている。即ち、例えば６〜７枚の撮影を行い、その中からユーザーの選択した４枚を、１枚のシール用紙に例えば１２駒（１種類の写真につき３駒づつ）印刷して、ユーザーに渡すようになっている。
【０００６】
その場合、従来の自動シール印刷発行機においては、プリントアウトすべきユーザーが希望する所定枚数の写真を、撮影後に直ちに選択し、然るのち、選択した写真だけを順次ビデオモニタ上に表示しつつ、ラクガキ用タッチペンを用いて各画面上に手書きで落書きを行い、これらをプリントアウトするようになっている。
即ち、図９には、従来公知の自動シール印刷発行機の「こだわりモード（背景画像をユーザーが好みのものの中から手動で選択可能なモード）」における諸作動の流れを示すフローチャートが例示され、図１０には、同様に、「おまかせモード（予め定められた背景画像が自動的に一定の順序で単に切り替わるだけのモード）」におけるフローチャートが例示されているが、いずれのモードにおいても、所定回数の「撮影」を終えたのち、まず、「画像選択（撮影した写真のうちからプリントアウトすべきものを選択する作業）」を行い、「明るさ選択（肌の色の明るさの選択）」作業を経たのち、「落書き」作業を行うようになっている。
【０００７】
このように、従来の自動シール印刷発行機は「撮影→画像選択（→明るさ選択）→落書き→プリントアウト」という順序で各作業を行うように構成されており、ユーザーは、これら一連の作業を、限られた一定のプレイ時間内に半強制的に順次実行しなければならない。
そのため、ユーザーは上記「画像選択」作業も限られた時間内で行う必要に迫られ、ビデオモニタ上に撮影後初めて提示される各写真の良否、優劣を落ち着いて吟味、判断する余裕がなく、納得のゆく写真の印刷されたシールを入手できないという問題点があった。また、例えば４枚選択可能であるにも拘わらず、迷っているうちに制限時間となり、３枚しか選べない場合などもあった。
【発明の開示】
【発明が解決しようとする課題】
【０００８】
本発明は、上記問題点を解決するためなされたものであり、その目的とするところは、同じプレイ時間内であっても、プリントアウトすべき所望の写真をユーザーが余裕をもって吟味、検討できるように構成した自動シール印刷発行機を提供することにある。
【課題を解決するための手段】
【０００９】
上記の目的は、
画像データを記録し得るメモリと、
被写体となるユーザーにより操作され、その人物自身の写真を所定数Ｎ枚撮影し、それらの人物写真データを順次メモリに記録し得るデジタルカメラと、
メモリに記録された人物写真を随時選択表示し得るビデオモニタと、
手書き画像入力手段と、
メモリに記録された所定数Ｎ枚の人物写真データを順次１枚分ずつ読出し、その人物写真をビデオモニタに表示し、手書き画像入力手段から入力される手書き画像と重畳、合成し、その合成画像データをメモリに記録すると共に、その合成画像をビデオモニタに表示する画像合成手段と、
画像合成手段により作成され、メモリに記録された所定数Ｎ枚の合成画像データを読出し、ビデオモニタに表示すると共に、ユーザーの操作に応じて表示された画像の中から所定数ｎ枚の範囲内で所望の画像の採用を決定する手段と、
上記採否決定手段により採用が決定された合成画像を所定のシール用紙にプリントしユーザーに交付し得るシールプリンタと、
を具備することを特徴とする自動シール印刷発行機によって達成し得る。
【００１０】
その場合において、
人物写真の背景となる画像のデータを記録した背景画像データメモリと、
背景画像データメモリに記録された背景画像の中から所望の背景画像を選択する手段と、
デジタルカメラで撮影された人物写真と、背景画像選択手段により選択された背景画像を合成する手段と、を設け、
手書き画像と重畳、合成される人物写真として、背景画像と組み合わせられた合成画像を用いるように構成することも推奨される。
【発明の効果】
【００１１】
本発明に係る自動シール印刷発行機においては、上記の如く、デジタルカメラによりＮ枚の人物写真を撮影し、次いで、これらＮ枚の人物写真を１枚ずつビデオモニタに表示しつつ手書き画像（落書き）を書き込んで、人物写真と当該手書き画像を重畳、合成した合成画像を作成、記録し、然るのち、これらＮ枚の合成画像の中からユーザーの希望するｎ枚を選択、採用し、それらをプリントアウトしてユーザーに交付するように構成されている。
即ち、従来の自動シール印刷発行機では、ユーザーは「撮影→画像選択（→明るさ選択）→落書き→プリントアウト」という順序で作業を行う構成であったのに対して、本発明に係る自動シール印刷発行機においては、「撮影（→明るさ選択）→落書き→画像選択→プリントアウト」という順序で作業を行うよう、即ち、「画像選択」に先立って「落書き」を行うように構成されている。
そのため、「落書き」作業中に、撮影済みのＮ枚のすべての写真にあらかじめ目を通すことが可能となり、プリントアウトすべきｎ枚の「画像選択」作業を行う際に迷うことなく短時間で選択することが可能となるので、従来と同じプレイ時間であっても、余裕をもって吟味、選択することが可能になるものである。
また、人物写真自体としては今一歩の出来のものでも、「落書き」を加えることによって初めて全体的に優れた出来ばえとなるような写真も選ぶことが可能になるという効果も期待できる。
【発明を実施するための最良の形態】
【００１２】
以下、図面に示す実施例を参照しつつ、本発明を実施するための最良の形態について説明する。
【実施例】
【００１３】
以下、図面を参照しつゝ本発明を具体的に説明する。
図１は、本発明に係る自動シール印刷発行機の一実施例の説明図、
図２は、図１に示した自動シール印刷発行機の回路構成を示すブロック図、
図３は、本発明に係る自動シール印刷発行機の「こだわりモード」における各作動の流れを示すフローチャート、
図４は、本発明に係る自動シール印刷発行機の「おまかせモード」における各作動の流れを示すフローチャート、
図５は、本発明に係る自動シール印刷発行機における撮影に先立つ背景選択時のビデオモニタの画面表示の一例を示す説明図、
図６は、本発明に係る自動シール印刷発行機における「落書き」開始時のビデオモニタの画面表示の一例を示す説明図、
図７は、本発明に係る自動シール印刷発行機におけるプリントアウトすべき画像選択時のビデオモニタの画面表示の一例を示す説明図、
図８は、本発明に係る自動シール印刷発行機におけるプリントアウトされたシールの一例を示す説明図である。
【００１４】
図１中、１はハウジング、１ａはカーテンで仕切られる出入口、２は１人又は数人の使用者（ユーザー）が入る被写体スペース、３はシール作成販売機、３１は正面デジタルカメラ、３２は上部デジタルカメラ、３３はタッチパネル式ビデオモニタ、３３１はタッチパネル式の操作部（制御入力装置）、３４はラクガキ用タッチペン、３５１はシールプリンタ３５（図２参照）のプリントシール発行口、３６は料金徴収装置、４ａ及び４ｂは室内照明用の蛍光灯、５は背景カーテン装置である。
タッチパネル式のビデオモニタ３３の画面自体に直接設けられるタッチ式の操作部３３１は、撮影のための諸選択や、落書き記入時の諸選択、等々の作業を行うため、使用者により操作される制御入力装置として機能し、これを使用する場面に応じてその数や配置はビデオモニタ３３の画面上で適宜変更されるようになっている。
【００１５】
また、図２中、３１，３２は前記デジタルカメラ、３３はタッチパネル式ビデオモニタ、３３１はタッチパネル式の操作部（制御入力装置）、３４はラクガキ用タッチペン、３５はシールプリンタ、３６は料金徴収装置、３７は画像編成回路、３８１はサウンド回路、３８２はスピーカ、３９は前記背景カーテン装置５の作動を制御するための制御装置である。
また、画像編成回路３７中において、３７１は演算装置（ＣＰＵ）、３７２はクロック回路、３７３はＲＯＭ、３７４はＲＡＭ、３７５は画像処理回路、３７６はカメラ制御回路、３７７は画像メモリ、３７８はデータバスである。
【００１６】
以下、図１ないし図８を併せて参照しつつ、本発明に係る自動シール印刷発行機の機能及び使用方法について説明する。
なお、図３には、「こだわりモード」、即ち、背景画像をユーザーが好みのものの中から手動で選択し手動で撮影を行うモードにおける諸作動の流れが示されており、図４には、「おまかせモード」、即ち、予め定められた背景画像を自動的に一定の順序で切り替えながら複数枚の撮影を自動的に行うモードにおける諸作動の流れが示されている。なお図３及び図４中の番号は、諸作動中の主要なステップを示す番号である。
【００１７】
図１に示すハウジング１内は、シール作成販売機３の上段左右に設けた蛍光灯４ａ及び下段左右に設けた蛍光灯４ｂと、その他必要に応じて設けられる照明ランプによって常時照明されるようになっている。
ハウジング１の出入口１ａから被写体スペース２に入った使用者は、料金徴収装置３６に所定の料金を投入し（図３及び図４中のステップ１）、シール作成販売機３のタッチパネル式ビデオモニタ３３の画面の一部に設けたタッチパネル式のボタンから成る操作部３３１を操作して、撮影を「こだわりモード」で行うか「おまかせモード」で行うかのコース選択を行う（図３及び図４中のステップ２）。
【００１８】
「こだわりモード」の場合には、ビデオモニタ３３上に表示される数種類の背景カーテン選択画面（図５参照）の中から希望する背景カーテンを選択する（図３中のステップ３ａ）。そうすると、図２に示す背景カーテン制御装置３９が作動して、図１に示す背景カーテン装置５がユーザーの希望したパターンのものにセットされ、ビデオモニタ３３の画面上に撮影ＯＫの旨の表示がなされるので、ユーザーは画面上の撮影ボタンを押す（図３中のステップ３ｂ）。然るときは、セルフタイマー形式で数秒後に撮影が行なわれるので、ユーザーはその数秒の間にカメラ３１，３２に向かってポーズを決めるようにする。以下同様の操作を繰り返して（図３中のステップ３ｃ〜３ｆ）、複数枚の写真を撮影する。図３には、３回の撮影までしか記載されていないが、通常は同様にして６回程度の撮影を行う。同じ背景カーテンでポーズを変えて２回又は３回づつ、合計６〜９回程度の撮影を行えるような構成としてもよい。
背景カーテン装置５としては、例えば、本出願人の出願に係る特願２００３−１７１２０９に記載のバックスクリーン装置なども好適に用いることができる。
撮影時には、正面の上段の蛍光灯４ａよりも奥側、及び下段の蛍光灯４ｂよりも奥側にそれぞれ設けたストロボライト（図１では省略）が、カメラと同期して同時に発光するようになっている。
撮影された複数枚（Ｎ枚）の背景入り人物写真データは、画像メモリ３３７（図２）に記録される。
【００１９】
他方、「おまかせモード」を選択した場合には、ユーザーが画面上の撮影ボタンを押すと（図４中のステップ３）、カメラ制御回路３７６（図２）によって制御されるカメラ３１，３２により数秒間隔で自動的に複数枚（Ｎ枚）の撮影が行われるので、ユーザーは、撮影ボタンを押した後、被写体スペース２内で動いたり、さまざまなポーズをとって、各種映像が複数枚自動撮影されるように心掛ける。撮影期間中、通常は背景カーテンを自動的に２〜３回異なった内容のものに切り換えるが、同一内容の背景カーテンで撮影するようにしてもよい。
撮影された複数枚（Ｎ枚）の背景入り人物写真データは、「こだわりモード」の場合と同様に画像メモリ３３７（図２）に記録される。
【００２０】
なお、背景カーテン装置５を用いることなく、画像メモリ３７７（図２）に予め記録、用意された背景画像を使用する場合には、それらの背景画像データと、カメラ３１，３２で撮影し画像メモリ３７７に記録された人物写真データとを、画像合成回路３７５ａにおいて合成して、背景入り人物写真データを作成し、これを画像メモリ３７７に記録しておくようにする。そのとき、「こだわりモード」の場合には、予め用意された上記背景画像の中からユーザーが選択したものを用いるようにし、「おまかせモード」の場合には、自動的に選択された背景画像を用いるようにする。
【００２１】
このようにして一連の撮影作業が終わると、ビデオモニタ３３の画面上に撮影した背景入り人物写真を並べて表示し、人物の肌の色を実際の「自然色」にするか、実際より明るい「きら肌」にするか、小麦色の「元気肌」にするかの選択をするための「明るさ選択」の操作を行う（図３及び図４中のステップ４）。
ユーザーは、この段階においても撮影された各写真の出来の良否を或る程度判断することができる。
なお、上記「明るさ」の調整処理は、ユーザーの選択に従って、画像処理回路３７５（図２）において行われる。
【００２２】
「明るさ」の調整処理が終了すると、次に図６に示す如く、ビデオモニタ３３の画面上に、撮影した背景入り人物写真が１枚ずつ表示されるので、ユーザーはそれらの画像上にラクガキ用タッチペン３４を用いて手書きの文字、図形等（落書き）を記入する（図３及び図４中のステップ５）。筆の太さや色、同一マークの繰返し等々は画面に表示される各種選択ボタンを押して指定する。
本発明においては、この落書き作業中にユーザーは各写真の良否を吟味でき、プリントアウトすべき画像の心づもりを立てることが可能である。全く採用の余地がなくプリントアウトする予定のない画像については、落書きを行うことなく、採用予定の別の画像の落書きを時間をかけて丁寧に行うなどの融通を図ることも可能である。
ユーザーが各人物写真に対して手書きした図形等は、画像合成回路３７５ａにおいて当該人物写真と合成され、その合成画像データは画像メモリ３７７に順次記録される。
落書き作業を終了すると、画面下の終了ボタンを押す。
【００２３】
次いでビデオモニタの画面は、図７に示すような「画像選択」作業（図３及び図４中のステップ６）を行うための画面に移行する。画面には、撮影されたすべての背景入り人物写真Ｎ枚について、手書きの図形が合成された合成画像データが画像メモリ３７７から読み出され、並べて表示される。図７に示した例においては、６枚の写真が表示され、上段左側の人物写真には３つのハートマークが落書きされ、上段中央の人物写真には「ヨロシク！！」という落書きがされている等々である。
ユーザーはこれらの写真の中から、プリントアウトすべき所定数ｎ枚（図示した例においては４枚）の画像を選択する必要があるが、これらの画像のそれぞれについては、前記落書き作業の段階で一通り目を通して採否の心づもりが既にできているので、ユーザーは余裕をもって採否の選択決定を行うことができる。
また、従来の如く、既に選択済みの画像に落書きを行うのとは異なり、本発明では、落書き済みの画像を対象として採否の選択を行うので、人物写真自体としては不採用となるはずのものであっても、「落書き」が加わることによって、他の写真より面白み等の優れた作品となったものを選ぶことも可能になる。
選択作業が終了したら、画面上の終了ボタンを押す。
【００２４】
次に、上記により選択したｎ枚（例えば４枚）の画像を、シール上に幾駒に分けてプリントアウトするかを選択決定する画面に移行する（図３及び図４中のステップ７）。例えば８駒から３０駒程度まで数種類の分割、配置のパターン例が画面に表示され、ユーザーはその中から希望のものを選択する。例えば、４枚の画像を１２駒のパターンで印刷するとすれば、各画像につき３駒づつ印刷されたシールが得られることになる。
【００２５】
「分割選択」作業の終了ボタンを押すと、図３及び図４に示した実施例では、印刷の待ち時間を利用してミニゲームが開始され（図３及び図４中のステップ８）、そのゲーム期間中にシールプリンタ３５によって、ユーザーが選択した画像の印刷が行なわれ、数十秒後に、撮影した背景入り人物写真と自筆の落書きとの合成、重畳画像がそれぞれ印刷された小さなシールが、１枚の台紙に複数枚貼り付いた状態で、プリントシール発行口３５１から排出され、これにより、すべての作業が完了する。
図８は、印刷、発行されたプリントシールの一例を示しており、２枚（２種類）の画像が４駒ずつ、合計８駒の画像が１枚の用紙に印刷されている。そのうちの一方の画像には、人物写真に、「きらまきよろしく！」という手書き文字と、顔の下の多数の星マークとから成る落書きが合成されており、もう一方の画像には落書きはなされていない。
【００２６】
次に、上記の如くして、カメラ３１，３２により撮影された人物写真に、落書きを合成し、然るのちユーザーが選択した画像をシール用紙にプリントして発行するという一連の作動を実行する画像編成回路３７の構成を、図２を参照しつつ説明する。
画像編成回路３７は、画像編成のための一種のコンピューターを構成するものであり、演算装置（ＣＰＵ）３７１、クロック回路３７２、ＲＯＭ３７３、ＲＡＭ３７４、画像処理回路３７５、カメラ制御回路３７６、画像メモリ３７７、データバス３７８等々から構成されている。なお、画像処理回路３７５、カメラ制御回路３７６及び画像メモリ３７７以外の構成要素は、画像編成作業のみならず、それ以外の作動、例えば料金徴収額の適否の判別とか、使用者へのアナウンスのためのサウンド回路への指令信号の授受等の作動、等々の制御も兼用して行うものである。
【００２７】
ＣＰＵ等から成る演算装置３７１は、画像編成作業を含む自動シール印刷発行機全体の作動を統括制御するものであり、画像処理回路３７５やカメラ制御回路３７６、画像メモリ３７７の作動の制御もこの演算装置１からの指令に基づいて行なわれる。
クロック回路３７２は、本発明の装置における各種デジタル演算処理のためのベースとなるクロックパルスを発振する回路であり、また、撮影開始から印刷終了までの時間管理等を行うためにも重要な役割を果たすものである。
ＲＯＭ３７３は、自動シール印刷発行機の作動に必要なデータを記録したＲＯＭであり、作動用プログラムのほか、装置全体の作動を統括制御する各種プログラムが記録されている。また、音声指示や効果音等の音声データ、装置内の各機器の初期設定データ、等々も記録されている。
ＲＡＭ３７４は、演算装置３７１の作動に必要なデータの授受を行なうＲＡＭである。
【００２８】
画像処理回路３７５は、画像合成回路３７５ａを含み、演算装置３７１からの指令に従い、カメラ３１，３２で撮影した人物写真にユーザーが選択した背景画像を合成したり、前記「明るさ選択」操作において選択された肌の色に調整する画像処理を行ったり、更に、それらの画像をユーザーによる手書き文字や図形等と重畳、合成して、ビデオモニタ３３に表示すると共に、それらの画像の中からユーザーが選択したものをシールプリンタ３５で所定の配列でプリントするための画像データの編成処理を行ったりする回路である。
カメラ制御回路３７６は、カメラ３１，３２の撮影動作を制御すると共に、撮影された画像データをカメラ３１，３２から上記画像メモリ３７７へ送出する回路である。
画像メモリ３７７は、カメラ３１，３２で撮影された人物写真データを記録したり、予め用意された背景画像データを記録したり、明るさ調整後の画像データを記録したり、上記人物写真に手書き画像を合成して成る合成画像データを記録したり、等々、一連の作業過程で作成される各種画像データを格納、保存する役割を果たす。なお、画像メモリ３７７として例えばハードディスク等の大容量の記憶装置を用いた場合には、当該ハードディスクには上記の如き画像データのみならず、ＲＯＭ３７３の一部として、作動用プログラム等をも記録するようにしてもよい。
データバス３７８は、上記の如き各回路要素間のデータの伝送を行う線路である。
なお、入力信号インターフェイス３３２は、タッチパネル式ビデオモニタ３３の画面上の操作部３３１をユーザーがタッチペン３４で押して各種選択を行ったときの入力データや、タッチパネル式ビデオモニタ３３の画面上にタッチペン３４で文字や図形等を手書きしたときの当該入力データ等を、演算装置３７１等に伝送するためのインターフェイスである。
【００２９】
本発明の自動シール印刷発行機における主要な機能、即ち、カメラ３１，３２によりユーザー等を撮影し、その撮影された人物写真データを画像メモリ３７７に記録し、それらの画像をビデオモニタ３３上に表示して手書きの文字や図形等の記入（落書き）を行わせ、それらの落書きデータを人物写真データと合成、記録し、次いで、当該落書き入り人物写真をビデオモニタ上に表示して、プリントアウトすべき写真の取捨選択を行わせ、選択された写真をユーザーの指定したパターンに配列し、それらの画像データをシールプリンタ３５に出力して、印刷、発行するという一連の作動は、上記ＲＯＭ３７３から読み出され、演算装置３７１や画像処理回路３７５にインストールされたコンピュータープログラムを、これら演算装置３７１、ＲＡＭ３７４、画像処理回路３７５等のハードウェア資源を用いて実行することによって実現されるものである。
【００３０】
なお、本発明は上記の実施例に限定されるものではなく、その目的の範囲内において、上記の説明から当業者が容易に想到し得るすべての変更実施例を包摂するものである。
【産業上の利用可能性】
【００３１】
本発明は以上の如く構成されるから、本発明によるときは、プリントアウトすべき所望の写真をユーザーが規定時間内で余裕をもって吟味し、取捨選択することのできる自動シール印刷発行機を提供し得るものである。
【図面の簡単な説明】
【００３２】
【図１】本発明に係る自動シール印刷発行機の一実施例の説明図である。
【図２】図１に示した自動シール印刷発行機の回路構成を示すブロック図である。
【図３】本発明に係る自動シール印刷発行機の「こだわりモード」における各作動の流れを示すフローチャートである。
【図４】本発明に係る自動シール印刷発行機の「おまかせモード」における各作動の流れを示すフローチャートである。
【図５】本発明に係る自動シール印刷発行機における撮影に先立つ背景選択時のビデオモニタの画面表示の一例を示す説明図である。
【図６】本発明に係る自動シール印刷発行機における「落書き」開始時のビデオモニタの画面表示の一例を示す説明図である。
【図７】本発明に係る自動シール印刷発行機におけるプリントアウトすべき画像選択時のビデオモニタの画面表示の一例を示す説明図である。
【図８】本発明に係る自動シール印刷発行機におけるプリントアウトされたシールの一例を示す説明図である。
【図９】従来公知の自動シール印刷発行機の「こだわりモード」における各作動の流れを示すフローチャートである。
【図１０】従来公知の自動シール印刷発行機の「おまかせモード」における各作動の流れを示すフローチャートである。
【符号の説明】
【００３３】
1         ハウジング
１ａ      出入口
2         被写体スペース
3         シール作成販売機
３１      正面デジタルカメラ
３２      上部デジタルカメラ
３３      タッチパネル式ビデオモニタ
３３１    タッチパネル式操作部（制御入力装置）
３４      ラクガキ用タッチペン
３５      シールプリンタ
３５１    プリントシール発行口
３６      料金徴収装置
３７      画像編成回路
３７１    演算装置（ＣＰＵ）
３７２    クロック回路
３７３    ＲＯＭ
３７４    ＲＡＭ
３７５    画像処理回路
３７６    カメラ制御回路
３７７    画像メモリ
３７８    データバス
３８１    サウンド回路
３８２    スピーカ
３９      背後カーテン制御装置
4 ａ，４ｂ  室内照明灯
５        背景カーテン装置
【図１】
2005205789.tif 000003
【図２】
2005205789.tif 000004
【図３】
2005205789.tif 000005
【図４】
2005205789.tif 000006
【図５】
2005205789.tif 000007
【図６】
2005205789.tif 000008
【図７】
2005205789.tif 000009
【図８】
2005205789.tif 000010
【図９】
2005205789.tif 000011
【図１０】
2005205789.tif 000012